(57)【要約】【課題】貸し出された遊技球が、賞球箱や床に落下することがないパチンコ遊技機を提供する。【解決手段】受皿の玉抜穴が開放されている状態で、貸出ボタン１０４が押圧されると、貸出ボタン１０４から玉抜制御回路１１１に閉塞信号が出力され、玉抜制御回路１１１はアクチュエータ１０７への駆動電流の供給を解除して、玉抜穴を閉塞状態にする。このため、貸し出された遊技球が、賞球箱に落下することがなく、遊技者が賞球箱に落下した遊技球を遊技者が手で掴んで受皿に入れるという煩雑な作業を強いられることがなく、また、貸し出された遊技球が床に落下することによる損失を防止することが可能となる。【選択図】図６
2010207273.tif 000002
【特許請求の範囲】
【請求項１】
貸し出された遊技球及び払い出された賞球を受容し、底部に玉抜穴が形成された受皿と、
前記玉抜穴を閉塞又は開放する閉塞部材と、
前記閉塞部材を、前記玉抜穴が閉塞される閉塞位置又は、前記玉抜穴が開放される開放位置まで移動させる移動機構と、
前記移動機構に、前記玉抜穴の開放又は閉塞を行わせる玉抜ボタンと、
遊技球を貸し出すための貸出ボタンとを有し、
前記玉抜ボタンが押圧される度に、前記玉抜穴が閉塞状態から開放状態又は開放状態から閉塞状態に順次切り替わるパチンコ遊技機において、
前記玉抜穴が開放状態で前記貸出ボタンが押圧されると、前記玉抜穴が閉塞状態になるように構成したことを特徴とするパチンコ遊技機。
【請求項２】
移動機構は、アクチュエータを有する電気式であり、
貸出ボタンは、押圧されると、閉塞信号を出力し、
玉抜穴が開放状態で貸出ボタンが押圧されると、前記貸出ボタンから出力された前記閉塞信号により、前記アクチュエータが作動し、前記玉抜穴が閉塞状態になるように構成したことを特徴とする請求項１に記載のパチンコ遊技機。
【請求項３】
玉抜ボタンは、押圧されると、順次、開放信号又は閉塞信号を出力し、
移動機構は、駆動電流が供給されると閉塞部材を開放位置まで移動させるアクチュエータと、閉塞部材を閉塞位置にまで復帰させる付勢手段と、前記アクチュエータ及び玉抜ボタンと電気的に接続され、前記開放信号が入力されると前記アクチュエータに駆動電流を供給し、前記閉塞信号が入力されると前記アクチュエータへの駆動電流の供給を遮断する玉抜制御回路とから構成され、
前記貸出ボタンを、前記玉抜制御回路に電気的に接続し、
玉抜穴が開放状態で前記貸出ボタンが押圧されると、閉塞信号が前記玉抜制御回路に入力され、前記玉抜制御回路が前記アクチュエータへの駆動電流の供給を遮断することにより、玉抜穴が閉塞状態になるように構成したことを特徴とする請求項２に記載のパチンコ遊技機。
【請求項４】
移動機構は、玉抜ボタンに作用する押圧力により作動する機械式であり、
貸出ボタンは、押圧されると、閉塞信号を出力し、
前記移動機構に駆動力を作用させるアクチュエータを設け、
玉抜穴が開放状態で前記貸出ボタンが押圧されると、前記貸出ボタンから出力された前記閉塞信号により、前記アクチュエータが作動し、玉抜穴が閉塞状態になるように構成したことを特徴とする請求項１に記載のパチンコ遊技機。
【請求項５】
玉抜ボタンは、押進自在に取り付けられ、
移動機構は、前記玉抜ボタンの押進動作を閉塞部材に伝達させて当該閉塞部材を開放位置にまで移動させる伝達機構と、閉塞部材を閉塞位置にまで復帰させる付勢手段と、前記付勢手段による前記閉塞部材の復帰動作を阻止して玉抜穴の開放状態を維持させ、玉抜ボタンの押圧動作により前記閉塞部材の復帰動作の阻止を解除するロック機構とから構成され、
前記ロック機構の前記閉塞部材の復帰動作の阻止を解除するアクチュエータを設け、
玉抜穴が開放状態で貸出ボタンが押圧されると、貸出ボタンから出力された閉塞信号により、前記アクチュエータが作動して、前記ロック機構の前記閉塞部材の復帰動作の阻止を解除することにより、玉抜穴が閉塞状態になるように構成したことを特徴とする請求項４に記載のパチンコ遊技機。
【発明の詳細な説明】
【技術分野】
【０００１】
本発明は、パチンコ遊技機の前面枠に設けられている受皿の玉抜機構に関する。
【背景技術】
【０００２】
パチンコ遊技機の前面枠には、受皿が設けられている。この受皿は特許文献１に示されるように、貸し出された遊技球及び払い出された遊技球を受容して貯留し、底部に配設された球通路レールで遊技球を整列させて発射装置に供給する機能を有している。前記受皿の底部には玉抜穴が形成されていて、遊技者が玉抜ボタンを押圧すると、前記玉抜穴が開放するようになっている。一般的には、玉抜ボタンを押圧すると、玉抜穴の開放状態が維持され、もう一度玉抜ボタン押圧すると、玉抜穴が閉塞されるようになっている。このような構造により、大当たり遊技状態に、遊技者が前記玉抜ボタンを押圧することにより、払い出された遊技球を、受皿の下方に配置した賞球箱に、落下させることができるようになっている。
【０００３】
受皿の別の構造として、特許文献２に示されるように、上下２段に上皿と下皿が配設された構造の受皿もある。このような構造の受皿は、上皿が遊技球が満たされると、払い出された遊技球が、下皿側に流出するようになっている。上皿及び下皿には玉抜穴が形成されている。上皿用玉抜ボタンを押圧すると、上皿の玉抜穴が開放し、上皿内の遊技球を下皿に流出させることができるようになっている。一方で、下皿用玉抜ボタンを押圧すると、下皿内の遊技球は、下皿の下方に配置した賞球箱に落下させることができるようになっている。
【先行技術文献】
【特許文献】
【０００４】
【特許文献１】特開２００６−１４９８０７号公報
【特許文献２】特開２００８−１６１３９５号公報
【発明の概要】
【発明が解決しようとする課題】
【０００５】
ところで、遊技終了時に遊技者が玉抜ボタンを押圧し、玉抜穴が開放したままの状態で、この遊技者が立ち去った場合には、新たな遊技者が玉貸しボタンを押圧すると、貸し出された遊技球が、賞球箱もしくは下皿（上下２段式の受皿の場合）に落下してしまう。このため、遊技を開始するのに新たな遊技者は、賞球箱又は下皿に落下した遊技球を手で掴んで、受皿又は上皿に入れるという動作を繰り返さなければならず、煩雑な作業を強いられるという問題があった。また、受皿の下に賞球箱が無い場合や、玉抜穴の直下に賞球箱が無い場合には、貸し出された遊技球が床に落下しまい、遊技球を損失してしまうという問題があった。本発明は、上記問題を解決し、貸し出された遊技球が、賞球箱や床に落下することがないパチンコ遊技機を提供することを目的とする。
【課題を解決するための手段】
【０００６】
上記課題を解決するためになされた請求項１に記載の発明は、
貸し出された遊技球及び払い出された賞球を受容し、底部に玉抜穴が形成された受皿と、
前記玉抜穴を閉塞又は開放する閉塞部材と、
前記閉塞部材を、前記玉抜穴が閉塞される閉塞位置又は、前記玉抜穴が開放される開放位置まで移動させる移動機構と、
前記移動機構に、前記玉抜穴の開放又は閉塞を行わせる玉抜ボタンと、
遊技球を貸し出すための貸出ボタンとを有し、
前記玉抜ボタンが押圧される度に、前記玉抜穴が閉塞状態から開放状態又は開放状態から閉塞状態に順次切り替わるパチンコ遊技機において、
前記玉抜穴が開放状態で前記貸出ボタンが押圧されると、前記玉抜穴が閉塞状態になるように構成したことを特徴とする。
【０００７】
請求項２に記載の発明は、請求項１に記載の発明において、
移動機構は、アクチュエータを有する電気式であり、
貸出ボタンは、押圧されると、閉塞信号を出力し、
玉抜穴が開放状態で貸出ボタンが押圧されると、前記貸出ボタンから出力された前記閉塞信号により、前記アクチュエータが作動し、前記玉抜穴が閉塞状態になるように構成したことを特徴とする。
【０００８】
請求項３に記載の発明は、請求項２に記載の発明において、
玉抜ボタンは、押圧されると、順次、開放信号又は閉塞信号を出力し、
移動機構は、駆動電流が供給されると閉塞部材を開放位置まで移動させるアクチュエータと、閉塞部材を閉塞位置にまで復帰させる付勢手段と、前記アクチュエータ及び玉抜ボタンと電気的に接続され、前記開放信号が入力されると前記アクチュエータに駆動電流を供給し、前記閉塞信号が入力されると前記アクチュエータへの駆動電流の供給を遮断する玉抜制御回路とから構成され、
前記貸出ボタンを、前記玉抜制御回路に電気的に接続し、
玉抜穴が開放状態で前記貸出ボタンが押圧されると、閉塞信号が前記玉抜制御回路に入力され、前記玉抜制御回路が前記アクチュエータへの駆動電流の供給を遮断することにより、玉抜穴が閉塞状態になるように構成したことを特徴とする。
【０００９】
請求項４に記載の発明は、請求項１に記載の発明において、
移動機構は、玉抜ボタンに作用する押圧力により作動する機械式であり、
貸出ボタンは、押圧されると、閉塞信号を出力し、
前記移動機構に駆動力を作用させるアクチュエータを設け、
玉抜穴が開放状態で前記貸出ボタンが押圧されると、前記貸出ボタンから出力された前記閉塞信号により、前記アクチュエータが作動し、玉抜穴が閉塞状態になるように構成したことを特徴とする。
【００１０】
請求項５に記載の発明は、請求項４に記載の発明において、
玉抜ボタンは、押進自在に取り付けられ、
移動機構は、前記玉抜ボタンの押進動作を閉塞部材に伝達させて当該閉塞部材を開放位置にまで移動させる伝達機構と、閉塞部材を閉塞位置にまで復帰させる付勢手段と、前記付勢手段による前記閉塞部材の復帰動作を阻止して玉抜穴の開放状態を維持させ、玉抜ボタンの押圧動作により前記閉塞部材の復帰動作の阻止を解除するロック機構とから構成され、
前記ロック機構の前記閉塞部材の復帰動作の阻止を解除するアクチュエータを設け、
玉抜穴が開放状態で貸出ボタンが押圧されると、貸出ボタンから出力された閉塞信号により、前記アクチュエータが作動して、前記ロック機構の前記閉塞部材の復帰動作の阻止を解除することにより、玉抜穴が閉塞状態になるように構成したことを特徴とする。
【発明の効果】
【００１１】
請求項１に記載の発明は、玉抜穴が開放状態で貸出ボタンが押圧されると、玉抜穴が閉塞状態になるように構成したことを特徴とする。
このため、貸し出された遊技球が、賞球箱に落下することがなく、遊技者が賞球箱に落下した遊技球を遊技者が手で掴んで受皿に入れるという煩雑な作業を強いられることがなく、また、貸し出された遊技球が床に落下することによる損失を防止することが可能となる。
【００１２】
請求項２に記載の発明は、請求項１に記載の発明において、移動機構は、アクチュエータを有する電気式であり、貸出ボタンは、押圧されると、閉塞信号を出力し、玉抜穴が開放状態で貸出ボタンが押圧されると、前記貸出ボタンから出力された前記閉塞信号により、前記アクチュエータが作動し、前記玉抜穴が閉塞状態になるように構成したことを特徴とする。
このため、電気式の玉抜機構において、貸し出された遊技球が、賞球箱に落下することがなく、貸し出された遊技球が床に落下することによる損失を防止することが可能なパチンコ遊技機を提供することが可能となる。
【００１３】
請求項３に記載の発明は、請求項２に記載の発明において、玉抜ボタンは、押圧されると、順次、開放信号又は閉塞信号を出力し、移動機構は、駆動電流が供給されると閉塞部材を開放位置まで移動させるアクチュエータと、閉塞部材を閉塞位置にまで復帰させる付勢手段と、前記アクチュエータ及び玉抜ボタンと電気的に接続され、前記開放信号が入力されると前記アクチュエータに駆動電流を供給し、前記閉塞信号が入力されると前記アクチュエータへの駆動電流の供給を遮断する玉抜制御回路とから構成され、前記貸出ボタンを、前記玉抜制御回路に電気的に接続し、玉抜穴が開放状態で前記貸出ボタンが押圧されると、閉塞信号が前記玉抜制御回路に入力され、前記玉抜制御回路が前記アクチュエータへの駆動電流の供給を遮断することにより、玉抜穴が閉塞状態になるように構成したことを特徴とする。
このため、電気式の玉抜機構において、貸し出された遊技球が、賞球箱に落下することがなく、貸し出された遊技球が床に落下することによる損失を防止することが可能なパチンコ遊技機を提供することが可能となる。
【００１４】
請求項４に記載の発明は、請求項１に記載の発明において、移動機構は、玉抜ボタンに作用する押圧力により作動する機械式であり、貸出ボタンは、押圧されると、閉塞信号を出力し、前記移動機構に駆動力を作用させるアクチュエータを設け、玉抜穴が開放状態で前記貸出ボタンが押圧されると、前記貸出ボタンから出力された前記閉塞信号により、前記アクチュエータが作動し、玉抜穴が閉塞状態になるように構成したことを特徴とする。
このため、機械式の玉抜機構において、貸し出された遊技球が、賞球箱に落下することがなく、貸し出された遊技球が床に落下することによる損失を防止することが可能なパチンコ遊技機を提供することが可能となる。
【００１５】
請求項５に記載の発明は、請求項４に記載の発明において、玉抜ボタンは、押進自在に取り付けられ、移動機構は、前記玉抜ボタンの押進動作を閉塞部材に伝達させて当該閉塞部材を開放位置にまで移動させる伝達機構と、閉塞部材を閉塞位置にまで復帰させる付勢手段と、前記付勢手段による前記閉塞部材の復帰動作を阻止して玉抜穴の開放状態を維持させ、玉抜ボタンの押圧動作により前記閉塞部材の復帰動作の阻止を解除するロック機構とから構成され、前記ロック機構の前記閉塞部材の復帰動作の阻止を解除するアクチュエータを設け、玉抜穴が開放状態で貸出ボタンが押圧されると、貸出ボタンから出力された閉塞信号により、前記アクチュエータが作動して、前記ロック機構の前記閉塞部材の復帰動作の阻止を解除することにより、玉抜穴が閉塞状態になるように構成したことを特徴とする。
このため、機械式の玉抜機構において、貸し出された遊技球が、賞球箱に落下することがなく、貸し出された遊技球が床に落下することによる損失を防止することが可能なパチンコ遊技機を提供することが可能となる。
【図面の簡単な説明】
【００１６】
【図１】パチンコ遊技機の上面図及び正面図である。（第１の実施形態）
【図２】前面枠下部の斜視図である。（第１の実施形態）
【図３】受皿の上面図である。（第１の実施形態、玉抜穴閉塞状態）
【図４】受皿の上面図である。（第１の実施形態、玉抜穴開放状態）
【図５】玉抜き通路の説明図である。（第１の実施形態）
【図６】玉抜機構の動作原理図である。
【図７】パチンコ遊技機の上面図及び正面図である。（第２の実施形態）
【図８】前面枠下部の斜視図である。（第２の実施形態）
【図９】受皿の上面図である。（第２の実施形態）
【図１０】玉抜機構ユニットの動作説明図である。
【図１１】玉抜機構ユニットの動作説明図である。
【図１２】玉抜機構ユニットの動作説明図である。
【図１３】ロック機構の動作説明図である。
【図１４】玉抜き通路の説明図である。（第２の実施形態）
【図１５】閉塞機構の動作原理図である。
【発明を実施するための形態】
【００１７】
（第１の実施形態）
以下に、図面を参照しつつ本発明の好ましい実施の形態（第１の実施形態）を示す。第１の実施形態のパチンコ遊技機１００は、電気式の玉抜機構を有している。図１に示されるように、第１の実施形態のパチンコ遊技機１００は、ガラス板１０１を保持する前面枠１１０と、この前面枠１１０の後方に配設された遊技機本体１２０とから構成されている。図１や図２に示されるように、前面枠１１０の下部には、手前側に膨出形成された受皿１０３が設けられている。受皿１０３は、貸し出された遊技球、払い戻された賞球、ファウル球を多数収納するものである。
【００１８】
また、前面枠１１０の下部には、貸出ボタン１０４が設けられていて、遊技者が貸出ボタン１０４を押圧すると、貸し出された遊技球が、受皿１０３に流入するようになっている。更に、前面枠１１０の下部には、遊技機本体１２０の遊技盤（図示せず）上に遊技球を発射操作するためのハンドル１０２が回動自在に取り付けられている。
【００１９】
図３に示されるように、受皿１０３の底部の奥には、球通路レール１０５が設けられている。この球通路レール１０５の末端には、発射装置（図示せず）が設けられている。球通路レール１０５は、受皿１０３上の遊技球を１列に整列するともに、前記発射装置に送給するためのものである。
【００２０】
図２〜図４に示されるように、受皿１０３の底部には、玉抜穴１０３ａが形成されている。図３の（Ａ）、（Ｂ）に示されるように、玉抜穴１０３ａは、閉塞部材１０６の動作により、閉塞又は開放されるようになっている。閉塞部材１０６は、その基端の回動軸１０６ａを中心に回動自在に取り付けられている。閉塞部材１０６の先端には、玉抜穴１０３ａを閉塞する閉塞部１０６ｂが形成されている。
【００２１】
閉塞部材１０６の回動軸１０６ａよりも基端に形成された軸着部１０６ｃは、アクチュエータ１０７の摺動軸１０７ａの先端と軸着している。アクチュエータ１０７が駆動すると、摺動軸１０７ａがアクチュエータ１０７内に引き寄せられて、閉塞部材１０６を開放位置（図４の状態）にまで回動させ、玉抜穴１０３ａが開放されるようになっている。一方で、アクチュエータ１０７の駆動を停止させると、スプリング１０８（付勢手段）の付勢力により、閉塞部材１０６が閉塞位置（図３の状態）にまで復帰させ、玉抜穴１０３ａが閉塞部材１０６の閉塞部１０６ｂにより閉塞されるようになっている。本実施形態では、閉塞部材１０６を閉塞位置又は開放位置に移動させる移動機構は、アクチュエータ１０７、スプリング１０８、後述する玉抜制御回路１１１とから構成されている。
【００２２】
受皿１０３に遊技球４０が収納されている状態で、玉抜穴１０３ａが開放されると、図５に示されるように、前記遊技球４０が、玉抜穴１０３ａから受皿１０３の下方に形成された玉抜通路１０３ｂに落下し、更に、玉抜通路１０３ｂ先端の排出口１０３ｃから、賞球箱５０に落下するようになっている。
【００２３】
図１や図２に示されるように、前面枠１１０の下方には、玉抜ボタン１０９が設けられている。図６に玉抜機構の動作原理図を示す。図６に示されるように、玉抜ボタン１０９は、電気的に玉抜制御回路１１１に接続している。また、玉抜制御回路１１１は、電気的にアクチュエータ１０７に接続している。玉抜制御回路１１１は、アクチュエータ１０７を駆動させるための電流を生成するドライバ回路を有している。遊技者が玉抜ボタン１０９を押圧すると、「開放信号」が玉抜制御回路１１１に入力され（図６の（１））、玉抜制御回路１１１のドライバ回路が、アクチュエータ１０７に駆動電流を供給して（図６の（２））、アクチュエータ１０７を駆動させる。アクチュエータ１０７が駆動されると、前述したように、閉塞部材１０６が開放位置（図４の状態）にまで回動され、玉抜穴１０３ａが開放する。本実施形態では、玉抜穴１０３ａが開放状態で、玉抜ボタン１０９が、一度押圧されると、玉抜制御回路１１１のドライバ回路が継続して、アクチュエータ１０７に駆動電流を供給して、玉抜ボタン１０９の開放状態が維持されるようになっている。
【００２４】
玉抜穴１０３ａが開放されている状態（図４の状態）で、遊技者が玉抜ボタン１０９を押圧すると、「閉塞信号」が玉抜制御回路１１１に入力され（図６の（３））、前記ドライバ回路のアクチュエータ１０７への駆動電流の供給が遮断される。すると、スプリング１０８の付勢力により、閉塞部材１０６が閉塞位置（図３の状態）にまで回動され、玉抜穴１０３ａが閉塞部材１０６の閉塞部１０６ｂにより閉塞される。
【００２５】
貸出ボタン１０４は、遊技球貸出装置（図示せず）に電気的に接続している。遊技者が貸出ボタン１０４を押圧すると、前記遊技球貸出装置が所定数の遊技球を貸し出して、当該遊技球が受皿１０３に供給されるようになっている。本発明では、貸出ボタン１０４は、玉抜制御回路１１１に電気的に接続している。また、貸出ボタン１０４は、押圧されると、「閉塞信号」を出力するようになっている。本発明では、玉抜穴１０３ａが開放している状態（図４の状態）で、遊技者が貸出ボタン１０４を押圧すると、「閉塞信号」が玉抜制御回路１１１に入力され（図６の（４））、前記ドライバ回路のアクチュエータ１０７への電流の供給が遮断される。すると、スプリング１０８の付勢力により、閉塞部材１０６が閉塞位置（図３の状態）にまで回動され、玉抜穴１０３ａが閉塞部材１０６の閉塞部１０６ｂにより閉塞される。このように、本発明では、玉抜穴１０３ａが開放している状態で、貸出ボタン１０４が押圧されると、玉抜穴１０３ａが閉塞されるようにパチンコ遊技機１００を構成したので、貸し出された遊技球４０が、賞球箱５０に落下することなく、遊技者が、落下した遊技球４０を手で掴んで、受皿１０３に入れるという煩雑な作業を行う必要がない。
【００２６】
なお、第１の実施形態において、閉塞部材１０６を回動させるアクチュエータ１０７は、ソレノイドに限定されず、ステッピングモータ等のアクチュエータであっても差し支えない。この構成の場合には、玉抜穴１０３ａが開放している状態（図４の状態）で、遊技者が貸出ボタン１０４を押圧すると、「閉塞信号」が玉抜制御回路１１１に入力され（図６の（４））、前記アクチュエータが前記駆動回路が供給する駆動電流で駆動され、閉塞部材１０６が閉塞位置（図３の状態）にまで回動されて、玉抜穴１０３ａが閉塞されるようになっている。
【００２７】
（第２の実施形態）
図７に第２の実施形態のパチンコ遊技機２００の上面図及び正面図を示して、以下、第２の実施形態のパチンコ遊技機２００について説明をする。第２の実施形態のパチンコ遊技機２００は、機械式の玉抜機構を有している。第２の実施形態のパチンコ遊技機２００は、ガラス板２０１を保持する前面枠２４０と、この前面枠２４０の後方に配設された遊技機本体２５０とから構成されている。図７〜図９に示されるように、前面枠２４０の下部には、手前側に膨出形成された受皿２０３が設けられている。受皿２０３は、貸し出された遊技球、払い戻された賞球、ファウル球を多数収納するものである。
【００２８】
前面枠２４０の下部には、貸出ボタン２０４が設けられていて、遊技者が貸出ボタン２０４を押圧すると、貸し出された遊技球が、受皿２０３に流入するようになっている。更に、前面枠２４０の下部には、遊技機本体２５０の遊技盤（図示せず）上に遊技球を発射操作するためのハンドル２０２が回動自在に取り付けられている。
【００２９】
図９に示されるように、受皿２０３の底部の奥には、球通路レール２０５が設けられている。この球通路レール２０５の末端には、発射装置（図示せず）が設けられている。球通路レール２０５は、受皿２０３上の遊技球を１列に整列するともに、前記発射装置に送給するためのものである。
【００３０】
図９に示されるように、受皿２０３の底部には、玉抜穴２０３ａが形成されている。図１０〜１２に示されるように、玉抜穴２０３ａは、閉塞部材２０６の動作により、閉塞又は開放されるようになっている。以下、玉抜穴２０３ａを閉塞又は開放する玉抜機構ユニット２２０について説明する。玉抜機構ユニット２２０は、前面枠２４０の受皿２０３の内部に配設されている。図１０〜図１２に示されるように、玉抜機構ユニット２２０は、本体２１５、スライド部材２１６、玉抜ボタン２１０、クランクギア２０９、ギア２０８、ギア２０７、閉塞部材２０６、捲回スプリング２１１、コイルスプリング２１２、ハートカム２１３とから構成されている。本発明では、玉抜機構ユニット２２０は、更に、アクチュエータ２１４を有している。
【００３１】
図１１に示されるように、本体２１５には、玉抜通路口２１５ａが形成されている。玉抜通路口２１５ａは、受皿２０３の玉抜穴２０３ａの直下に位置している。
【００３２】
本体２１５の前端には、スライド部材２１６が前後方向にスライド自在に取り付けられている。スライド部材２１６の後端には、押圧部２１６ａが形成されている。スライド部材の前端２１６には、玉抜ボタン２１０が取り付けられている。このような構成により、玉抜ボタン２１０は、前後方向に押進自在となっている。スライド部材２１６には、コイルスプリング２１２が取り付けられていて、スライド部材２１６を前方に付勢している。
【００３３】
クランクギア２０９は、略Ｌ次形状に形成されている。クランクギア２０９は、折曲部２０９ｃを中心に回動自在に本体２１５に取り付けられている。クランクギア２０９の一端は、当接部２０９ａとなっていて、スライド部材２１６の押圧部２１６ａと当接している。クランクギア２０９の他端は、ギア部２０９ｂとなっている。
【００３４】
ギア２０７及びギア２０８は、互いに歯合して、本体２１５に回転自在に取り付けられている。ギア２０８は、クランクギア２０９のギア部２０９ｂと歯合している。
【００３５】
閉塞部材２０６は、その基端の回動軸２０６ａを中心に、本体２１５に回動自在に取り付けられている。閉塞部材２０６の先端には、閉塞部２０６ｂが形成されている。閉塞部材２０６が回動することにより、本体２１５の玉抜通路口２１５ａが閉塞又は開放されるようになっている（つまり、受皿２０３の玉抜穴２０３ａが閉塞又は開放されるようになっている）。閉塞部材２０６の基端には、回動軸２０６ａを中心にギア部２０６ｃが形成されている。閉塞部材２０６のギア部２０６ｃは、ギア２０７と歯合している。閉塞部材２０６の回動軸２０６ａには、捲回スプリング２１１が巻き掛けられている。捲回スプリング２１１の一端２１１ａは閉塞部材２０６に固着し、捲回スプリング２１１の他端２１１ｂは本体２１５に固着している。捲回スプリング２１１は、閉塞部２０６ｂが玉抜通路口２１５ａを閉塞する方向に閉塞部材２０６を付勢し、閉塞部材２０６を閉塞位置にまで復帰させるようになっている。
【００３６】
本体２１５の玉抜通路口２１５ａが閉塞部材２０６の閉塞部２０６ａで閉塞されている状態（図１０の状態）で、玉抜ボタン２１０が押圧されると、スライド部材２１６の押圧部２０６ａが、クランクギア２０９の当接部２０９ａを押圧し、クランクギア２０９が回動する。クランクギア２０９が回動すると、クランクギア２０９のギア部２０９ｂと歯合しているギア２０８が回転し、このギア２０８と歯合しているギア２０７も回転する。ギア２０７が回転すると、このギア２０７とギア部２０６ｃで歯合している閉塞部材２０６が回動し、玉抜通路口２１５ａが開放される（図１１の状態）。
【００３７】
玉抜通路口２１５ａが開放されると、図１４に示されるように、受皿２０３に受容された遊技球４０が玉抜通路口２１５ａ（玉抜穴２０３ａ）から、本体２１５に形成された玉抜通路２１５ｂに落下し、更に、玉抜通路２１５ｂ先端の排出口２１５ｃから、賞球箱５０に落下するようになっている。
【００３８】
このように、本実施形態では、閉塞部材２０６を閉塞位置又は開放位置に移動させる移動機構は、玉抜ボタン２１０の押進動作を閉塞部材２０６に伝達させて閉塞部材２０６を開放位置まで移動させる伝達機構（スライド部材２１６、クランクギア２０９、ギア２０８、ギア２０７とから構成されている）と、閉塞部材２０６を閉塞位置にまで復帰させる付勢手段（捲回スプリング２１１）とから構成されている。
【００３９】
また本実施形態では、前記移動機構は、前記付勢手段（捲回スプリング２１１）による閉塞部材２０６の復帰動作を阻止して玉抜穴２０３ａ（玉抜通路口２１５ａ）の開放状態を維持させるロック機構（ハートカム２１３、コイルスプリング２１２、ハートカムシャフト２１７からなる）を有している。図１３にロック機構の動作説明図を示して、以下、ロック機構について説明する。スライド部材２１６には、揺動軸２１３ａを中心にハートカム２１３が揺動自在に取り付けられている。図に示される実施形態では、ハートカム２１３は、スライド部材２１６の裏面側に取り付けられている。本体２１５には、ハートカム２１３と係合する、ハートカムシャフト２１７が突設されている。ハートカム２１３は、図示しないスプリングにより、ハートカムシャフト２１７側に付勢されている。
【００４０】
ハートカム２１３には、複数の案内溝２１３ｂ、２１３ｃ、２１３ｄが形成されている。案内溝２１３ｂは前後方向に形成され、案内溝２１３ｂの前端は、案内溝２１３ｃの後端に接続している。案内溝２１３ｄは、案内溝２１３ｃに隣接して形成されている。案内溝２１３ｃの後端は、案内溝２１３ｄの途中部分に側方から接続している。案内溝２１３ｄの後端は、案内溝２１３ｂの後端に接続している。前記案内溝は、２１３ｂ、２１３ｃ、２１３ｄの順に深くなっている。なお、案内溝２１３ｄは案内溝２１３ｂ側に向かって徐々に溝が浅くなり、案内溝２１３ｄと案内溝２１３ｂの境界では、案内溝２１３ｂの方が溝が深くなっている。案内溝２１３ｂ、２１３ｃ、２１３ｄで囲まれる位置のハートカム２１３には、係合突起２１３ｅが突設されている。
【００４１】
玉抜通路口２１５ａが閉塞されている状態（図１０の状態）では、図１３の（Ａ）に示されるように、ハートカムシャフト２１７の先端は、案内溝２１３ｂに位置している。この状態から、玉抜ボタン２１０が押され、スライド部材２１６が後方に押進されると、案内溝２１３ｄと案内溝２１３ｂの境界の段差にハートカムシャフト２１７が当接し、ハートカム２１３が揺動し、図１３の（Ｂ）に示されるように、ハートカムシャフト２１７の先端が、案内溝２１３ｃに導かれるようになる。この状態で、玉抜ボタン２１０の押圧が解除されると、コイルスプリング２１３の付勢力により、スライド部材２１６が僅かに前方にスライドし、ハートカムシャフト２１７が案内溝２１３ｃと案内溝２１３ｂとの境界の段差に当接し、図１３の（Ｃ）に示されるように、ハートカムシャフト２１７の先端が係合突起２１３ｅと係合してスライド部材２１６の前方への復帰動作が阻止される。このため、図１１に示されるように、スライド部材２１６の押圧部２１６ａによるクランクギア２０９の当接部２０９ａへの押圧状態が維持され、捲回スプリング２１１による閉塞部材２０６の復帰動作が阻止されて、玉抜通路口２１５ａが開放されている状態が維持されるようになっている。このため、遊技者は、玉抜ボタン２１０を押し続けることなく、受皿２０３に受容された遊技球４０を賞球箱５０に排出し続けることができるようになっている。
【００４２】
玉抜通路口２１５ａが開放されている状態で、玉抜ボタン２１０が押圧されると、スライド部材１６が僅かに前方にスライドし、図１３の（Ｄ）に示されるように、ハートカムシャフト２１７の先端が、案内溝２１３ｄと案内溝２１３ｃとの境界の段差に当接し案内溝２１３ｅに導かれる。この状態で、玉抜ボタン２１０の押圧が解除されると、コイルスプリング２１３の付勢力により、スライド部材１６が後方にスライドし、ハートカムシャフト２１７の先端が、案内溝２１３ｄに案内されて、案内溝２１３ｂに案内される（図１３の（Ｅ）の状態）。スライド部材１６が後方にスライドする際に、スライド部材２１６の押圧部２１６ａによるクランクギア２０９の当接部２０９ａへの押圧状態が解除されて、玉抜通路口２１５ａが閉塞部材２０６の閉塞部２０６ｂで閉塞される（図１２の状態）。
【００４３】
本発明では、ハートカム２１３に隣接する位置のスライド部材１６にアクチュエータ２１４が取り付けられている。本実施形態では、アクチュエータ２１４は、退出動する摺動軸２１４ａを有する所謂プッシュソレノイドである。アクチュエータ２１４に駆動電流が供給されると、摺動軸２１４ａがアクチュエータ２１４から進出するようになっている。一方で、アクチュエータ２１４への駆動電流が遮断されると、摺動軸２１４ａがアクチュエータ２１４内に引き込まれるようになっている。アクチュエータ２１４の摺動軸２１４ａの先端は、案内溝２１３ｄが形成されている側のハートカム２１３の側面を向いていて、アクチュエータ２１４に駆動電流が供給されると、図１３の（Ｆ）に示されるように、摺動軸２１４ａが進出してハートカム２１３の側面を押圧し、ハートカム２１３が揺動されるようになっている。
【００４４】
図１５に閉塞機構の動作原理図を示す。貸出ボタン２０４は、遊技球貸出装置（図示せず）に電気的に接続している。遊技者が貸出ボタン２０４を押圧すると、前記遊技球貸出装置が所定数の遊技球を貸し出して、当該遊技球が受皿２０３に供給されるようになっている。図１５に示されるように、貸出ボタン２０４は、電気的に閉塞制御回路２３０に接続している。また、閉塞制御回路２３０は、電気的にアクチュエータ２１４に接続している。閉塞制御回路２３０は、アクチュエータ２４５を駆動させるための駆動電流を生成するドライバ回路を有している。
【００４５】
本発明では、貸出ボタン２０４は、押圧されると、「閉塞信号」を出力するようになっている。玉抜通路口２１５ａが開放している状態（玉抜穴１０３ａが開放している状態）（図１１、図１３の（Ｃ）の状態）で、遊技者が貸出ボタン２０４を押圧すると、「閉塞信号」が閉塞制御回路２３０に入力され（図１５の（１））、閉塞制御回路２３０のドライバ回路がアクチュエータ２１４に駆動電流を供給する（図１５の（２））。すると、アクチュエータ２１４が駆動し、図１３の（Ｆ）に示されるように、摺動軸２１４ａが進出してハートカム２１３の側面を押圧し、ハートカム２１３が揺動される。すると、係合突起２１３ｅと係合しているハートカムシャフト２１７の先端が、案内溝２１３ｄに位置するようになり（図１３の（Ｆ）の状態）、係合突起２１３ｅとハートカムシャフト２１７の先端との係合が解除され、コイルスプリング２１３の付勢力によって、スライド部材１６が後方にスライドする。スライド部材１６が後方にスライドする際に、スライド部材２１６の押圧部２１６ａによるクランクギア２０９の当接部２０９ａへの押圧状態が解除されて、玉抜通路口２１５ａが閉塞部材２０６の閉塞部２０６ｂで閉塞される（図１２の状態）。
【００４６】
このように、本発明では、玉抜穴２０３ａが開放している状態で、貸出ボタン２０４が押圧されると、玉抜穴２０３ａが閉塞されるようにパチンコ遊技機２００を構成したので、貸し出された遊技球４０が、賞球箱５０に落下することなく、遊技者が、落下した遊技球４０を手で掴んで、受皿２０３に入れるという煩雑な作業を行う必要がない。
【００４７】
（総括）
なお、以上受皿１０３、２０３が１つである実施形態について本発明のパチンコ遊技機を説明したが、受皿が上皿と下皿からなる上下２段式のパチンコ遊技機にも、本発明の技術的思想を適用可能なことは言うまでもない。
【００４８】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うパチンコ遊技機もまた技術的範囲に包含されるものとして理解されなければならない。      
【符号の説明】
【００４９】
４０      遊技球
５０      賞球箱
１００    パチンコ遊技機（第１の実施形態）
１０１  ガラス板（第１の実施形態）
１０２    ハンドル（第１の実施形態）
１０３    受皿（第１の実施形態）
１０３ａ  玉抜穴
１０３ｂ  玉抜通路
１０３ｃ  排出口
１０４    貸出ボタン（第１の実施形態）
１０５    球通路レール（第１の実施形態）
１０６    閉塞部材（第１の実施形態）
１０６ａ  回動軸
１０６ｂ  閉塞部
１０６ｃ  軸着部
１０７    アクチュエータ
１０７ａ  摺動軸
１０８    スプリング
１０９    玉抜ボタン（第１の実施形態）
１１０    前面枠（第１の実施形態）
１１１    玉抜制御回路
１２０    遊技機本体（第１の実施形態）
２００    パチンコ遊技機（第２の実施形態）
２０１    ガラス板（第２の実施形態）
２０２    ハンドル（第２の実施形態）
２０３    受皿（第２の実施形態）
２０３ａ  玉抜穴
２０４    貸出ボタン（第２の実施形態）
２０５    球通路レール（第２の実施形態）
２０６    閉塞部材（第２の実施形態）
２０６ａ  回動軸
２０６ｂ  閉塞部
２０６ｃ  ギア部
２０７    ギア
２０８    ギア
２０９    クランクギア
２０９ａ  当接部
２０９ｂ  ギア部
２１０    玉抜ボタン（第２の実施形態）
２１１    捲回スプリング
２１１ａ  一端
２１１ｂ  他端
２１２    コイルスプリング
２１３    ハートカム
２１３ａ  揺動軸
２１３ｂ  案内溝
２１３ｃ  案内溝
２１３ｄ  案内溝
２１３ｅ  係合突起
２１４    アクチュエータ
２１４ａ  摺動軸
２１５    本体
２１５ａ  玉抜通路口
２１５ｂ  玉抜通路
２１５ｃ  排出口
２１６    スライド部材
２１６ａ  押圧部
２１７    ハートカムシャフト
２２０    玉抜機構ユニット
２３０    閉塞制御回路
２４０    前面枠（第２の実施形態）
２５０    遊技機本体（第２の実施形態）
【図１】
2010207273.tif 000003
【図２】
2010207273.tif 000004
【図３】
2010207273.tif 000005
【図４】
2010207273.tif 000006
【図５】
2010207273.tif 000007
【図６】
2010207273.tif 000008
【図７】
2010207273.tif 000009
【図８】
2010207273.tif 000010
【図９】
2010207273.tif 000011
【図１０】
2010207273.tif 000012
【図１１】
2010207273.tif 000013
【図１２】
2010207273.tif 000014
【図１３】
2010207273.tif 000015
【図１４】
2010207273.tif 000016
【図１５】
2010207273.tif 000017